(57)【要約】      （修正有）【課題】本発明は、滑り落ちる時の運動エネルギーを、円滑に回転運動に移行させ、最大限に利用することで、ヤエンを跳ね上げて、アオリイカに掛けることを目的とするイカ釣り用ヤエンを提供する。【解決手段】掛け針（４）と第１支点（１）と第２支点（２）を有する前方ヤエン部（８）の後方に設けた回転軸（５）で、第３支点（３）とオモリ（６）を有する補助部品（９）を、上下方向に回転するように設置する。さらに、可動を跳ね上げに必要な範囲のみに規制して、回転軸（５）にかかる負荷を軽減するために、回転規制部（７）を設置する。【選択図】図１
2018019676.tif 000002
【特許請求の範囲】
【請求項１】
イカ釣りに使用される道具であるヤエンにおいて、掛け針（４）と第１支点（１）と第２支点（２）を有する前方ヤエン部（８）の後方に設けた回転軸（５）で、第３支点（３）とオモリ（６）を有する補助部品（９）を、上方向に回転するように連結したことを特徴とするイカ釣り用ヤエン。
【発明の詳細な説明】
【技術分野】
【０００１】本発明は、アオリイカ釣りにおいて使用される道具であるヤエンの改良に関するものである。
【背景技術】
【０００２】ヤエンを用いたアオリイカ釣りを説明すると、餌である活きた魚を道糸の先に結び、自由に海中を泳がせる。
その後、アオリイカが餌を捕らえて、食べ始めたら、掛け針を備えたヤエンを道糸に吊るし、アオリイカまで滑り落し、引っ掛けて釣り上げる釣法である。【０００３】従来のヤエンは、アオリイカまで滑り落した時、掛け針は斜め下方を向き、水平に泳ぐアオリイカとは離れてしまう。（図３参照）
そのため、釣り人は道糸を操作してヤエンをアオリイカに引っ掛けるのだが、海中のことなので初心者には大変難しいものである。【０００４】一般的なヤエンには、二支点のものと三支点のものがある。
二支点ヤエンの形状は軸棒の先端に掛け針（４）を備え、軸棒が上方の第１支点（１）、第２支点（２）より延びた支柱にそれぞれ支持されている、オモリ（６）は第１支点の付近が重心となるよう設置される。【０００５】二支点ヤエンは、回転の中心となる第１支点（１）に重心があるため、回転して掛け針（４）跳ね上げる力が弱く、大きくヤエンを引いてアオリイカに掛ける必要がある。
引くタイミングを知るには、経験と技術が必要である。【０００６】三支点ヤエンは、第１支点（１）の後方に重心がずれるようにオモリ（６）が設置される。
そのずれた重心に第２支点（２）を設け、さらにオモリ（６）を支持するために、第３支点（３）を上方に設けられたものである。（例えば、特許文献１参照）【０００７】三支点ヤエンは、回転の中心となる第１支点（１）の後方にずれて重心があるため、回転することは容易であるが、到着時には第３支点（３）が道糸に干渉して回転は止り、掛け針（４）は跳ね上がらない。
道糸を緩めることで掛け針（４）は跳ね上がるので、張ったり、緩めたりを繰り返すことでアオリイカに、掛けることが出来る。
二支点ヤエンより初心者向きである。
（図３参照）【０００８】道糸を引くことにより掛け針を跳ね上げて、アオリイカに掛けるヤエンはあるが、構造及び、海中でのヤエンの動きが複雑で初心者には、扱いが難しいものである。
（例えば、特許文献２、特許文献３参照）
【先行技術文献】
【特許文献】
【０００９】
【特許文献１】実登３０７４５９６号（公報）
【特許文献２】特開２００７−２０２４３８号（公報）
【特許文献３】特開２０１２−１１０３１４号（公報）
【発明の概要】
【発明が解決しようとする課題】
【００１０】従来のヤエンは、滑り落ちる時の運動エネルギーを有効に利用したものは無く、衝突することでアオリイカを驚かすのを避け、静かに到着することがよしと考えて、到着後に種々な操作をすることで、イカに掛けようとするものである。【００１１】本発明は、以上に述べた滑り落ちる時の運動エネルギーを、円滑に回転運動に移行させ、最大限に利用することで、到着時にヤエンを跳ね上げて、アオリイカに掛けることを目的とするものである。
【課題を解決するための手段】
【００１２】本発明は、上記目的を達成するために、掛け針（４）と第１支点（１）と第２支点（２）を有する、前方ヤエン部（８）の後方に回転軸（５）を設けて、第３支点（３）とオモリ（６）を有する補助部品（９）を上下方向に回転するように設置する。【００１３】可動を跳ね上げに必要な範囲のみに規制して、回転軸（５）にかかる負荷を軽減するために、回転規制部（７）を設置する。
【本発明の効果】
【００１４】以下、図３、図４により従来の三支点ヤエンと比較することで、本発明による効果を説明する。
【００１５】オモリ（６）を後方に設置することで、三支点ヤエンと同じように、第２支点（２）付近が重心となり、第１支点（１）を中心に回転しやすい状態になる。
【００１６】さらに、回転軸（５）にて補助部品（９）は回転するので、クランク機構となり走行時の運動エネルギーは円滑に回転運動に移行されて、荷重は第２支点（２）にかかる。
【００１７】第３支点（３）での干渉は無くなり、第２支点（２）で干渉することになるが、回転の中心［第１支点（１）］からの距離は短くなるので、道糸のたわむ量が同じならば、従来の三支点ヤエンより回転は大きくなり、前方ヤエン部（８）を大きく跳ね上げることが出来る。
【図面の簡単な説明】
【００１８】
【図１】本発明のヤエンを斜め上方より見た斜視図
【図２】図１におけるＡ部詳細図
【図３】従来の三支点ヤエンの到着時を側面より見た外観図
【図４】本発明の到着時を側面より見た外観図
【発明を実施するための形態】
【００１９】以下、本発明の実施の形態を図１、図２に基づいて説明する。
【００２０】図１において、前方ヤエン部（８）の形状は、軸棒の先端に掛け針（４）を備え、軸棒は上方の第１支点（１）、第２支点（２）より延びた支柱によりそれぞれ支持されている。
【００２１】第１支点（１）、第２支点（２）、第３支点（３）はそれぞれ、道糸を通すことが出来て、衝撃では外れない構造と成っている。例えば、軸棒を支持している支柱の先端を螺旋状に曲げたもの（道糸を螺旋に沿って回すことで、道糸に吊るすことが出来る、逆に回すことで外すことが出来る。）が考えられるが、支点の構造は、他の種々のものが採用され得る。
【００２２】上記の掛け針（４）は、アオリイカを引っ掛けるための釣り針を、扇状に組んだもので、数カ所配置される。釣り針の数と位置は種々の組み合わせが採用され得る。
【００２３】図１において、補助部品（９）の形状は、軸棒の後端に鉛からなるオモリ（６）を設置し、軸棒は上方の第３支点（３）より延びた支柱により支持されている。
【００２４】実施形態では、オモリ（６）は、紡錘形の鉛であるが、その他の形状及び金属が採用され得る。
【００２５】前方ヤエン部（８）の第２支点（２）の後方に、回転軸（５）を軸棒に対して直角で水平になるよう設置する。（図２参照）
【００２６】本実施形態では、回転軸（５）にはパイプが採用されているが、回転軸の（５）の構造は、蝶番など種々のものが採用され得る。
【００２７】前方ヤエン部（８）の軸棒の後端に、長円リング状の回転規制部（７）を上方に設置する。（図２参照）
【００２８】補助部品（９）の先端を鈎状に曲げて回転軸（５）に挿通し、上下方向にのみ回転するように設置する。
その際、回転規制部（７）の長円リングに補助部品（９）の軸棒が挿通される。（図２参照）
【００２９】本発明は海中で使用されるため、製作部材は腐食に強い、棒状のステンレス鋼材が望ましいが、ステンレス鋼に限定されるものではなく、種々の金属のほか樹脂も採用され得る。
【００３０】本実施形態の使用の方法と効果を以下にて、説明する。
【００３１】釣り人は、餌である活きた魚を道糸の先に結び、自由に海中を泳がせる。
その後、アオリイカが餌を捕らえて、食べ始めたら、道糸に第１支点（１）、第２支点（２）、第３支点（３）の順に吊るし、イカまで滑り落す。
【００３２】本発明は、跳ね上がり部分である前方ヤエン部（８）に支点が２つあるため、走行時に道糸に沿う姿勢を崩すことなく、進行することが出来る。
【００３３】従来のヤエンは、到着時にイカに掛かる確率は高くないが（特に道糸の水平に対する角度が大きい場合）、本発明のヤエンは、走行時の運動エネルギーを利用して、到着時に跳ね上がるので、アオリイカに掛け針（４）が掛かる確率は高くなる。
ヤエンを用いたアオリイカ釣りにおいて、一番難しい技術である、掛け針（４）を掛けることが自動で行われるので、アオリイカを釣り上げることが容易になる。（図３、図４参照）
【００３４】到着時の跳ね上げで掛からない場合でも、前方ヤエン部（８）が２つの支点で支持されているため、姿勢はすぐに戻り、従来の三支点ヤエンと同様にゆっくりとポンピングさせることで、アオリイカに掛けることが可能である。
釣りにおけるポンピングとは、魚が掛かった時に釣り竿を立てることで道糸を引き、釣り竿を倒す時に緩めた道糸をリールで巻きとる動作のことである。
【００３５】長円リング状の回転規制部（７）を取り付けたことによる効果は、回転軸（５）での逆折れ及び、過剰な回転を防ぐことが出来る。
さらに、前方ヤエン部（８）と補助部品（９）が横方向にずれることを防ぎ、回転軸（５）にかかる負荷を軽減することが出来る。
【符号の説明】
【００３６】１  第１支点
２  第２支点
３  第３支点
４  掛け針
５  回転軸
６  オモリ
７  回転規制部
８  前方ヤエン部
９  補助部品
【図１】
2018019676.tif 000003
【図２】
2018019676.tif 000004
【図３】
2018019676.tif 000005
【図４】
2018019676.tif 000006